(57)【特許請求の範囲】
【請求項１】
ハウジング本体と、該ハウジング本体の開口部に装着される上蓋と、で構成されるハウジングと、
前記ハウジング本体の一端側に支持され、ビーム光を射出する光源部と、
該光源部から射出されるビーム光を偏向するポリゴンミラーと、
前記ハウジング本体の略中央部に支持され、前記ポリゴンミラーを回転駆動させるポリゴンモーターと、
を有し、被走査面を偏向走査する光走査装置において、
前記ハウジング本体には、
前記光源部側から略中央部を通過して前記光源部と反対側の端部まで延在し、前記ポリゴンモーターを冷却する空気流が通過する冷却ダクトと、前記ハウジングを画像形成装置の本体フレーム上に固定するビスが締結される締結部と、
が設けられており、
前記締結部は、前記ハウジング本体の前記光源部側に前記光源部を挟むように配置される第１及び第２締結部と、前記ハウジング本体の前記光源部と反対側であって、前記ビスの締結方向から見て前記冷却ダクトと重ならない位置に配置される第３締結部とで構成され、
前記本体フレームの係合穴に係合して前記ハウジングの位置決めを行う位置決めボスが、前記ビスの締結方向から見て前記冷却ダクトと重なる前記ハウジング本体の底面に外向きに突設されることを特徴とする光走査装置。
【請求項２】
前記ハウジング本体の底面には、前記冷却ダクトを挟んで前記第３締結部と反対側に、前記本体フレームに固定された防振部材が当接する当接部が設けられることを特徴とする請求項１に記載の光走査装置。
【請求項３】
前記ハウジング本体の底面には、前記冷却ダクトを挟んで前記第３締結部と反対側に、前記本体フレームの当接部に当接する防振部材が固定されることを特徴とする請求項１に記載の光走査装置。
【請求項４】
前記防振部材と前記当接部とが当接した状態で、前記ハウジング本体の底面と前記本体フレームとの間の前記防振部材の高さ方向の寸法と前記第３締結部の高さ方向の寸法とが略同一であることを特徴とする請求項２又は請求項３に記載の光走査装置。
【請求項５】
請求項１乃至請求項４のいずれかに記載の光走査装置が搭載された画像形成装置。
【発明の詳細な説明】
【技術分野】
【０００１】
本発明は、プリンター、複写機、及びファクシミリ等の画像形成装置に用いられる、ビーム光を走査して画像を書き込み形成する光走査装置に関するものである。
【背景技術】
【０００２】
従来、複写機やプリンター等の電子写真方式を用いる画像形成装置では、帯電装置によって均一に帯電された感光体ドラムの表面に、入力された画像データに基づいて変調したビーム光（レーザー光）を照射して走査する光走査装置を備えており、この光走査装置によって形成された静電潜像が現像装置によってトナー像に現像され、さらにトナー像を記録紙等に転写し、定着装置により永久像とする画像形成プロセスが行われる。
【０００３】
このような光走査装置は、ＬＤ（レーザーダイオード）等の光源部、ポリゴンミラー、走査レンズ、平面ミラー等の光学部材をハウジング内に備えており、画像形成装置の構成ユニットの中でも精密性が高く、ポリゴンミラーの高速回転に伴う振動や温度上昇による熱変形等を考慮した構成にしておく必要がある。
【０００４】
例えば特許文献１には、下面が開放されたハウジングケースの天板内側に光走査装置の構成部品を予め装着し、ハウジングケースを左右一対の治具ブロックに載置したタイバーに固定した後、ハウジングケースをタイバーと共にプリンターのメインフレームに取付け固定する光走査装置の取付け構造が開示されている。
【０００５】
また、特許文献２には、光ビーム発生器と光偏向器とを含む複数の光学部品を保持した第１のフレームと、第１のフレームにおける最後段の光学部品から出力される光ビームを入射して画像形成面の存在する方向に射出する光ビーム方向変更手段を保持した第２のフレームと、第１のフレームに対して第２のフレームを位置決めした状態で両者を固定して一体化するフレーム一体化手段と、一体化した第１および第２のフレームを所定の不動部材に別個に固定するフレーム固定手段とを具備する光走査装置が開示されている。
【０００６】
また、特許文献３には、光学箱に設けられた複数の位置決め部のうち、高さ方向の位置決め固定を３点で行うとともに、この３点の位置決め部とは別に、弾性部材を介して高さ方向の押えを行うようにした光走査装置が開示されている。特許文献４には、光学箱をその支持手段に対して位置決めするための少なくとも１個の位置決めプレートを有し、該位置決めプレートが、互いに異なる向きに配設された第１および第２の位置決め部を備えており、第１または第２の位置決め部を用いて光学箱の位置決めを行なうように構成された光走査装置が開示されている。
【先行技術文献】
【特許文献】
【０００７】
【特許文献１】特開平８−２２１７５号公報
【特許文献２】特開平８−２４４２７０号公報
【特許文献３】特開平８−２７８６７０号公報
【特許文献４】特開２０００−１００３６号公報
【発明の概要】
【発明が解決しようとする課題】
【０００８】
従来、ポリゴンミラーを回転させるポリゴンモーターからの放熱による熱変形等を抑制するために、ポリゴンモーターに空気流を送風して冷却する冷却ダクトを光走査装置のハウジングに形成することが行われている。
【０００９】
しかしながら、冷却ダクトの配置と、画像形成装置の本体フレームに対するハウジングの位置決め箇所またはビスの締結箇所との兼ね合いで、冷却ダクトの風路が位置決め箇所または締結箇所によって遮られる場合があった。
【００１０】
本発明は、上記問題点に鑑み、画像形成装置の本体フレームにハウジングを締結するための構成を、ハウジングに設けられる冷却ダクトの風路を遮ることなく配置可能な光走査装置及びそれを備えた画像形成装置を提供することを目的とする。
【課題を解決するための手段】
【００１１】
上記目的を達成するために本発明の第１の構成は、ハウジングと、光源部と、ポリゴンミラーと、ポリゴンモーターと、を有し、被走査面を偏向走査する光学走査装置である。ハウジングは、ハウジング本体と、ハウジング本体の開口部に装着される上蓋と、で構成される。光源部は、ハウジング本体の一端側に支持され、ビーム光を射出する。ポリゴンミラーは、光源部から射出されるビーム光を偏向する。ポリゴンモーターは、ハウジング本体の略中央部に支持され、ポリゴンミラーを回転駆動させる。ハウジング本体には、光源部側から略中央部を通過して光源部と反対側の端部まで延在し、ポリゴンモーターを冷却する空気流が通過する冷却ダクトと、ハウジングを画像形成装置の本体フレーム上に固定するビスが締結される締結部と、が設けられる。締結部は、ハウジング本体の光源部側に光源部を挟むように配置される第１及び第２締結部と、ハウジング本体の光源部と反対側であって、ビスの締結方向から見て冷却ダクトと重ならない位置に配置される第３締結部とで構成される。
【発明の効果】
【００１２】
本発明の第１の構成によれば、ハウジング本体の光源部と反対側に配置される第３締結部が、ハウジング本体の中央部に形成される冷却ダクトと重ならない位置に配置されている。その結果、ビスが冷却ダクト内を流れる空気流を遮るおそれがなく、ポリゴンモーターからの放熱によるハウジング本体の熱変形を効果的に抑制することができる。
【図面の簡単な説明】
【００１３】
【図１】本発明の一実施形態に係る光走査装置４ａ、４ｂが搭載された画像形成装置１００の全体構成を示す概略図
【図２】光走査装置４ａの内部構造を示す斜視図
【図３】光走査装置４ａの内部構造を示す平面図
【図４】光走査装置４ａの内部構造を模式的に示す側面断面図
【図５】光走査装置４ａを裏面側から見た平面図
【図６】光走査装置４ａを光源部４３ａ、４３ｂ側から見た斜視図
【図７】光走査装置４ａを光源部４３ａ、４３ｂの反対側から見た斜視図
【図８】光走査装置４ａ、４ｂが固定される本体フレーム１９の斜視図
【図９】光走査装置４ａを本体フレーム１９上に固定したときのハウジング４１の光源部４３ａ、４３ｂと反対側の部分断面図
【図１０】光走査装置４ａを本体フレーム１９上に固定したときのハウジング４１の光源部４３ａ、４３ｂ側の断面図
【図１１】光走査装置４ａ、４ｂを本体フレーム１９に固定した状態を示す斜視図
【図１２】底面４１ａａに防振部材７５を固定した光走査装置４ａを、当接部６５が形成された本体フレーム１９上に固定したときのハウジング４１の光源部４３ａ、４３ｂと反対側の部分断面図
【発明を実施するための形態】
【００１４】
以下、図面を参照しながら本発明の実施形態について説明する。図１は、光走査装置４ａ、４ｂが搭載された画像形成装置１００の概略断面図であり、ここではタンデム方式のカラー画像形成装置について示している。画像形成装置１００本体内には４つの画像形成部Ｐａ、Ｐｂ、Ｐｃ及びＰｄが、搬送方向上流側（図１では右側）から順に配設されている。これらの画像形成部Ｐａ〜Ｐｄは、異なる４色（シアン、マゼンタ、イエロー及びブラック）の画像に対応して設けられており、それぞれ帯電、露光、現像及び転写の各工程によりシアン、マゼンタ、イエロー及びブラックの画像を順次形成する。
【００１５】
これらの画像形成部Ｐａ〜Ｐｄには、各色の可視像（トナー像）を担持する感光体ドラム１ａ、１ｂ、１ｃ及び１ｄが配設されており、さらに駆動手段（図示せず）により図１において時計回り方向に回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次転写された後、二次転写ローラー９において転写紙Ｐ上に一度に転写され、さらに、定着部７において転写紙Ｐ上に定着された後、装置本体より排出される。感光体ドラム１ａ〜１ｄを図１において反時計回り方向に回転させながら、各感光体ドラム１ａ〜１ｄに対する画像形成プロセスが実行される。
【００１６】
トナー像が転写される転写紙Ｐは、画像形成装置１００本体下部の用紙カセット１６内に収容されており、給紙ローラー１２ａ及びレジストローラー対１２ｂを介して二次転写ローラー９へと搬送される。中間転写ベルト８には誘電体樹脂製のシートが用いられ、主に継ぎ目を有しない（シームレス）ベルトが用いられる。
【００１７】
次に、画像形成部Ｐａ〜Ｐｄについて説明する。回転可能に配設された各感光体ドラム１ａ〜１ｄの周囲及び下方には、感光体ドラム１ａ〜１ｄを帯電させる帯電器２ａ、２ｂ、２ｃ及び２ｄと、感光体ドラム１ａ〜１ｄに画像情報を露光する光走査装置４ａ及び４ｂと、感光体ドラム１ａ〜１ｄ上にトナー像を形成する現像ユニット３ａ、３ｂ、３ｃ及び３ｄと、感光体ドラム１ａ〜１ｄ上に残留した現像剤（トナー）を除去するクリーニング部５ａ、５ｂ、５ｃ及び５ｄが設けられている。光走査装置４ａ、４ｂは画像形成装置１００の本体フレーム１９にビス固定されている。
【００１８】
ユーザーにより画像形成開始が入力されると、先ず、帯電器２ａ〜２ｄによって感光体ドラム１ａ〜１ｄの表面を一様に帯電させ、次いで光走査装置４ａ及び４ｂによってレーザー光を照射し、各感光体ドラム１ａ〜１ｄ上に画像信号に応じた静電潜像を形成する。現像ユニット３ａ〜３ｄには、それぞれシアン、マゼンタ、イエロー及びブラックの各色のトナーが補給装置（図示せず）によって所定量充填されている。このトナーは、現像ユニット３ａ〜３ｄにより感光体ドラム１ａ〜１ｄ上に供給され、静電的に付着することにより、光走査装置４ａ、４ｂからの露光により形成された静電潜像に応じたトナー像が形成される。
【００１９】
そして、一次転写ローラー６ａ〜６ｄと中間転写ベルト８との間に所定の転写電圧で電界が付与された後、一次転写ローラー６ａ〜６ｄにより感光体ドラム１ａ〜１ｄ上のシアン、マゼンタ、イエロー、及びブラックのトナー像が中間転写ベルト８上に転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面の残留トナーがクリーニング部５ａ〜５ｄにより除去される。
【００２０】
中間転写ベルト８は、上流側の搬送ローラー１０と、下流側の駆動ローラー１１とに掛け渡されており、駆動モーター（図示せず）による駆動ローラー１１の回転に伴い中間転写ベルト８が時計回り方向に回転を開始すると、転写紙Ｐがレジストローラー対１２ｂから所定のタイミングで中間転写ベルト８に隣接して設けられた二次転写ローラー９へ搬送され、中間転写ベルト８上に形成されたフルカラー画像が転写される。トナー像が転写された転写紙Ｐは定着部７へと搬送される。
【００２１】
定着部７に搬送された転写紙Ｐは、定着ローラー対１３により加熱及び加圧されてトナー像が転写紙Ｐの表面に定着され、永久像とされる。定着部７においてフルカラー画像が定着された転写紙Ｐは、複数方向に分岐した分岐部１４によって搬送方向が振り分けられる。転写紙Ｐの片面のみに画像を形成する場合は、そのまま排出ローラー対１５によって排出トレイ１７に排出される。
【００２２】
一方、転写紙Ｐの両面に画像を形成する場合は、定着部７を通過した転写紙Ｐの大部分を排出トレイ１７に排出した後、排出ローラー対１５を逆回転させて再び装置内部に引き込む。引き込まれた転写紙Ｐは分岐部１４で反転搬送路１８に振り分けられ、画像面を反転させた状態で二次転写ローラー９に再搬送される。そして、中間転写ベルト８上に形成された次の画像が二次転写ローラー９により転写紙Ｐの画像が形成されていない面に転写され、定着部７に搬送されてトナー像が定着された後、排出トレイ１７に排出される。
【００２３】
図２及び図３は、それぞれ本発明の光走査装置４ａの内部構成を示す斜視図及び平面図であり、図４は、光走査装置４ａの内部構造を模式的に示す側面断面図（図３のＡＡ′矢視断面図）である。なお、図２及び図３では、光走査装置４ａの内部が見えるように上蓋４１ｂを取り外した状態を示している。また、ここでは光走査装置４ａの構成について説明するが、光走査装置４ｂについても全く同様の構成である。
【００２４】
図２〜図４に示すように、光走査装置４ａはハウジング本体４１ａと上蓋４１ｂで構成されるハウジング４１を有しており、ハウジング本体４１ａの略中央部にはポリゴンミラー４２が配置されている。本実施形態では、ポリゴンミラー４２は側面に６つの偏向面（反射面）を有する正六角形の回転多面鏡から成り、ポリゴンモーター５１により所定の速度で回転する。ポリゴンモーター５１はハウジング本体４１ａの底面に形成されたモーター位置決め穴５２に嵌合している。
【００２５】
また、ハウジング本体４１ａの前面側（図３の下側）の側壁には２つの光源部４３ａ、４３ｂが配置されている。光源部４３ａ、４３ｂはＬＤ（レーザーダイオード）で構成され、画像信号に基づき光変調したビーム光（レーザー光）Ｄ１、Ｄ２を射出する。
【００２６】
光源部４３ａ、４３ｂとポリゴンミラー４２との間には、各光源部４３ａ、４３ｂに対応して設けられた２つのコリメーターレンズ４４ａ、４４ｂと、コリメーターレンズ４４ａ、４４ｂを通過したビーム光Ｄ１、Ｄ２をそれぞれ所定の光路幅とする２つの第１アパーチャ４５ａ、４５ｂと、第１アパーチャ４５ａ、４５ｂを通過した後、ビーム光Ｄ１、Ｄ２がそれぞれ通過する２つのシリンドリカルレンズ４６ａ、４６ｂと、シリンドリカルレンズ４６ａ、４６ｂを通過したビーム光Ｄ１、Ｄ２をそれぞれ所定の光路幅とする第２アパーチャ４７ａ、４７ｂが配置されている。
【００２７】
コリメーターレンズ４４ａ、４４ｂは光源部４３ａ、４３ｂから射出したビーム光Ｄ１、Ｄ２をそれぞれ略平行光束にするものであり、シリンドリカルレンズ４６ａ、４６ｂは副走査方向（図３の紙面と垂直な方向）にのみ所定の屈折力を有するものである。また、ハウジング本体４１ａ内には走査レンズ４８ａ、４８ｂがポリゴンミラー４２を挟んでそれぞれ対向配置されている。走査レンズ４８ａ、４８ｂはｆθ特性を有しており、ポリゴンミラー４２によって偏向反射されたビーム光を感光体ドラム１ａ〜１ｄ（図１参照）上に結像させる。また、走査レンズ４８ａ、４８ｂから感光体ドラム１ａ〜１ｄ（図１参照）までの各ビーム光Ｄ１、Ｄ２の光路上にはそれぞれ３つの平面ミラー４９ａ、４９ｂが配置されている。
【００２８】
上記のように構成された光走査装置４ａによるビーム光の走査動作について説明する。まず、図２及び図３に示すように、光源部４３ａ、４３ｂから射出されたビーム光Ｄ１、Ｄ２は、コリメーターレンズ４４ａ、４４ｂによって略平行光束とされ、第１アパーチャ４５ａ、４５ｂによって所定の光路幅とされる。次に、略平行光束となったビーム光Ｄ１、Ｄ２をシリンドリカルレンズ４６ａ、４６ｂに入射させる。シリンドリカルレンズ４６ａ、４６ｂに入射したビーム光Ｄ１、Ｄ２は、主走査断面においてはそのまま平行光束の状態で、副走査方向においては収束して射出され、第２アパーチャ４７ａ、４７ｂによって所定の光路幅とされた後、ポリゴンミラー４２の偏向面に線像として結像する。
【００２９】
ポリゴンミラー４２に入射されたビーム光Ｄ１、Ｄ２は、ポリゴンミラー４２によって等角速度偏向された後、走査レンズ４８ａ、４８ｂによって等速度偏向される。走査レンズ４８ａ、４８ｂを通過したビーム光Ｄ１、Ｄ２は、図４に示すように、それぞれの光路に配置された平面ミラー４９ａ、４９ｂによって所定回数（ここでは３回）折り返され、上蓋４１ｂに形成された窓部５４を通過して感光体ドラム１ｃ、１ｄへ配光される。光走査装置４ｂから射出されたビーム光も同様にして感光体ドラム１ａ、１ｂへ配光される。
【００３０】
図５は、光走査装置４ａを裏面側から見た平面図、図６及び図７は、それぞれ光走査装置４ａを光源部４３ａ、４３ｂ側とその反対側から見た斜視図、図８は、光走査装置４ａ、４ｂが固定される本体フレーム１９の斜視図である。図５〜図８を参照しながら、本体フレーム１９に対する光走査装置４ａ、４ｂの取り付け構造について説明する。以下、光走査装置４ａについて説明するが、光走査装置４ｂについても全く同様である。
【００３１】
図５に示すように、ハウジング本体４１ａの底面４１ａａには、第１締結部６０ａ、第２締結部６０ｂ、第３締結部６０ｃが設けられている。第１締結部６０ａ〜第３締結部６０ｃは、ハウジング本体４１ａの底面４１ａａから環状に突出しており、中央にはビス８０（図７参照）が挿入される貫通穴が形成されている。
【００３２】
第１締結部６０ａ、第２締結部６０ｂは、底面４１ａａの光源部４３ａ、４３ｂ側（図５の下側）に、光源部４３ａ、４３ｂを挟み込むように配置されている。第３締結部６０ｃは、光源部４３ａ、４３ｂと反対側（図５の上側）に配置されている。これにより、ハウジング本体４１ａの光源部４３ａ、４３ｂ側を本体フレーム１９に安定して締結することができる。
【００３３】
底面４１ａａの光源部４３ａ、４３ｂ側とその反対側（図５の上下端部）には、本体フレーム１９に対するハウジング本体４１ａの位置決めを行う位置決めボス６１ａ、６１ｂが突設されている。位置決めボス６１ａ、６１ｂは、それぞれハウジング本体４１ａの幅方向（図５の左右方向）中央部に配置されている。
【００３４】
図６及び図７に示すように、底面４１ａａは、幅方向（図５の左右方向）中央部が光源部４３ａ、４３ｂ側とその反対側とに亘って内側に凹んだ形状の冷却ダクト６３が設けられている。冷却ダクト６３は、光源部４３ａ、４３ｂと反対側に吸気口６３ａが形成され、光源部４３ａ、４３ｂ側に排気口６３ｂが形成されている。
【００３５】
図５に示したように、冷却ダクト６３を底面４１ａａ側から見たとき、中央部は大きく開口しており、光走査装置４ａが本体フレーム１９（図８参照）に固定されたとき本体フレーム１９が冷却ダクト６３の底面の一部を構成する。また、冷却ダクト６３の両端部（吸気口６３ａと排気口６３ｂの近傍）では底面４１ａａが橋渡し状に残されており、冷却ダクト６３の底面の一部を構成している。そして、この橋渡し状の底面４１ａａに位置決めボス６１ａ、６１ｂが外向きに突設されている。
【００３６】
冷却ファン（図示せず）によって発生した空気流が、吸気口６３ａから排気口６３ｂに向かって（図５の矢印方向）冷却ダクト６３内を流れることにより、冷却ダクト６３内に突出するポリゴンモーター５１（図４参照）を冷却する。これにより、ポリゴンモーター５１からの放熱によるハウジング本体４１ａの熱変形を抑制することができる。
【００３７】
本体フレーム１９は板金製であり、図８に示すように、光走査装置４ａを設置したときハウジング本体４１ａの第１締結部６０ａ〜第３締結部６０ｃに対向する位置には、ビス８０が締結されるビス締結穴７１ａ〜７１ｃが形成されている。また、ハウジング本体４１ａの位置決めボス６１ａ、６１ｂに対向する位置には、位置決めボス６１ａ、６１ｂが係合する係合穴７３ａ、７３ｂが形成されている。
【００３８】
本実施形態では、光源部４３ａ、４３ｂと反対側に配置される第３締結部６０ｃを、ビス８０の締結方向（図５の紙面と垂直な方向）から見て冷却ダクト６３と重ならない位置に配置している。これにより、第３締結部６０ｃに締結されるビス８０が冷却ダクト６３内を流れる空気流を遮るおそれがなく、ポリゴンモーター５１の冷却効率が低下するおそれもなくなる。
【００３９】
また、位置決めボス６１ａ、６１ｂは、冷却ダクト６３と重なるように配置されているが、冷却ダクト６３の底面を構成する底面４１ａａから外側にのみ突出しており、冷却ダクト６３内には突出していない。これにより、位置決めボス６１ａ、６１ｂが冷却ダクト６３を流れる空気流を遮るおそれもない。
【００４０】
ここで、光源部４３ａ、４３ｂと反対側に配置される第３締結部６０ｃをハウジング本体４１ａの幅方向中央部からずらして配置しているため、外力により振動が発生したときに光走査装置４ａの第３締結部６０ｃと反対側（図５の左側）の振幅が大きくなる。
【００４１】
そこで、図８に示すように、本体フレーム１９の、ハウジング本体４１ａの第３締結部６０ｃと反対側が対向する位置に、弾性材料で形成された防振部材７５を取り付けるとともに、ハウジング本体４１ａの底面４１ａａには防振部材７５が当接する当接部６５を形成している。
【００４２】
図９は、光走査装置４ａを本体フレーム１９上に固定したときのハウジング４１の光源部４３ａ、４３ｂと反対側の部分断面図である。図９に示すように、当接部６５は、防振部材７５が当接したとき水平方向にずれにくいように、底面４１ａａを防振部材７５と略同一形状に僅かに凹ませて形成されている。また、防振部材７５の高さ方向の寸法は、防振部材７５と当接部６５とが当接した状態で、ハウジング本体４１ａの底面４１ａａからの防振部材７５の突出高さｈ１と、第３締結部６０ｃの高さｈ２とが略同一となるように調整されている。これにより、ハウジング本体４１ａが本体フレーム１９に対して略水平に保持される。
【００４３】
図１０は、光走査装置４ａを本体フレーム１９上に固定したときのハウジング４１の光源部４３ａ、４３ｂ側の断面図である。ハウジング本体４１ａの底面４１ａａには、第１締結部６０ａ、第２締結部６０ｂに形成された貫通穴の周囲を囲むようにリブ８１が立設されている。リブ８１は平面視矩形枠状であり、底面４１ａａからハウジング４１の上蓋４１ｂまで、ハウジング本体４１ａと略同一の高さに形成されている。リブ８１の上端部には上蓋４１ｂの凹部８３が嵌合しており、リブ８１と凹部８３とで第１締結部６０ａ、第２締結部６０ｂを補強する補強部８５が形成されている。
【００４４】
凹部８３には開口（図示せず）が形成されており、この開口から補強部８５にドライバーを挿入してビス８０の締結が可能となっている。また、補強部８５は、リブ８１によってポリゴンミラー４２や走査レンズ４８ａ、４８ｂ等の光学部材が収納されるハウジング本体４１ａの内部と隔離されているため、ハウジング本体４１ａの内部に塵埃が進入するおそれはない。なお、ここでは図示しないが、第３締結部６０ｃの周囲も平面視矩形枠状のリブ８１で囲まれており、リブ８１と凹部８３とで補強部８５が形成されている。
【００４５】
また、ハウジング本体４１ａの内部には、感光体ドラム１ｃ、１ｄ（被走査面）に対する光路ずれ（スキュー）を調整するためのスキュー調整機構９０が設けられている。スキュー調整機構９０は、調整ツマミ９０ａ、９０ｂ（図６参照）を所定方向に回転させることで、窓部５４の直近に配置された平面ミラー４９ａ、４９ｂの長手方向の一端側に当接する押圧部材を平面ミラー４９ａ、４９ｂの反射面に対して垂直方向に往復移動させ、平面ミラー４９ａ、４９ｂの長手方向の傾きを調整する。さらに、光走査装置４ａの上面（上蓋４１ｂ）には、窓部５４を清掃する清掃部材（図示せず）を窓部５４に沿って往復移動させるスクリュー７０が設けられている。
【００４６】
光走査装置４ａを本体フレーム１９に取り付ける際は、先ずハウジング本体４１ａ内のポリゴンミラー４２、光源部４３ａ、４３ｂ、アパーチャ４７ａ、４７ｂ、走査レンズ４８ａ、４８ｂ等の位置決めを行った後、ハウジング本体４１ａに上蓋４１ｂを装着してハウジング４１を密閉する。次いで、ハウジング本体４１ａを本体フレーム１９上に載置する。そして、ハウジング本体４１ａの底面４１ａａに形成された位置決めボス６１ａ、６１ｂを本体フレーム１９の係合穴７３ａ、７３ｂに係合させる。これにより、ハウジング本体４１ａが本体フレーム１９に対して位置決めされ、第１締結部６０ａ〜第３締結部６０ｃの貫通穴と本体フレーム１９側のビス締結穴７１ａ〜７１ｃとが重なり合う。
【００４７】
その後、上蓋４１ｂに形成された凹部８３の開口から補強部８５にドライバーを差し込んで、第１締結部６０ａ〜第３締結部６０ｃの貫通穴を介して本体フレーム１９のビス締結穴７１ａ〜７１ｃにビス８０を締結することにより、光走査装置４ａが本体フレーム１９に固定される。
【００４８】
同様の手順により光走査装置４ｂの取り付けを行い、本体フレーム１９に対する光走査装置４ａ、４ｂの取り付けを完了する。本体フレーム１９に光走査装置４ａ、４ｂが固定された状態を図１１に示す。
【００４９】
上述した本発明の光走査装置４ａ、４ｂによれば、ハウジング本体４１ａを本体フレーム１９に固定するためのビス８０が締結される第３締結部６０ｃが、ハウジング本体４１ａの中央部に形成された冷却ダクト６３と重ならない位置に配置されている。また、ハウジング本体４１ａの中央部に形成された位置決めボス６１ａ、６１ｂも底面４１ａａから外側にのみ突出している。その結果、ビス８０が冷却ダクト６３内を流れる空気流を遮るおそれがなく、ポリゴンモーター５１からの放熱によるハウジング本体４１ａの熱変形を効果的に抑制することができる。従って、ハウジング本体４１ａの熱変形による光路ずれを抑制することができる。
【００５０】
また、ハウジング本体４１ａの底面４１ａａには、第３締結部６０ｃと反対側に本体フレーム１９側の防振部材７５が当接する当接部６５を形成したので、ハウジング本体４１ａに振動が発生した場合の第３締結部６０ｃと反対側の振幅を小さく抑えることができる。
【００５１】
その他本発明は、上記実施形態に限定されず、本発明の趣旨を逸脱しない範囲で種々の変更が可能である。例えば、上記実施形態では、本体フレーム１９側に防振部材７５を設けるとともに、光走査装置４ａ、４ｂのハウジング本体４１ａ側に防振部材７５が当接する当接部６５を形成したが、図１２に示すように、ハウジング本体４１ａ側に防振部材７５を固定し、本体フレーム１９側に当接部６５を形成することも可能である。
【００５２】
また、上記実施形態では２つの光源部４３ａ、４３ｂを備えた２ビーム方式の光走査装置４ａ、４ｂについて説明したが、本発明は２ビーム方式の光走査装置に限らず、４つの光源部を備えた４ビーム方式の光走査装置や、モノクロ複写機やモノクロプリンターに搭載されるシングルビーム方式の光走査装置にも全く同様に適用することができる。
【産業上の利用可能性】
【００５３】
本発明は、プリンター、複写機、及びファクシミリ等の画像形成装置に用いられる、ビーム光を走査して画像を書き込み形成する光走査装置に利用可能である。本発明の利用により、画像形成装置の本体フレームにハウジングを確実に位置決め及び締結することができ、且つハウジングに設けられる冷却ダクトによる冷却効率の低下も抑制可能な光走査装置及びそれを備えた画像形成装置を提供することができる。
【符号の説明】
【００５４】
Ｐａ〜Ｐｄ      画像形成部
１ａ〜１ｄ      感光体ドラム（被走査面）
４ａ、４ｂ      光走査装置
４１            ハウジング
４１ａ          ハウジング本体
４１ａａ        底面
４１ｂ          上蓋
４２            ポリゴンミラー
４３ａ、４３ｂ  光源部
４４ａ、４４ｂ  コリメ−ターレンズ
４５ａ、４５ｂ  第１アパーチャ
４６ａ、４６ｂ  シリンドリカルレンズ
４７ａ、４７ｂ  第２アパーチャ
４８ａ、４８ｂ  走査レンズ
５１            ポリゴンモーター
６０ａ          第１締結部
６０ｂ          第２締結部
６０ｃ          第３締結部
６１ａ、６１ｂ  位置決めボス
６３            冷却ダクト
６５            当接部
７１ａ〜７１ｃ  ビス締結穴
７３ａ、７３ｂ  係合穴
７５            防振部材
８０            ビス
１００          画像形成装置
【図１】
0006304012.tif 000002
【図２】
0006304012.tif 000003
【図３】
0006304012.tif 000004
【図４】
0006304012.tif 000005
【図５】
0006304012.tif 000006
【図６】
0006304012.tif 000007
【図７】
0006304012.tif 000008
【図８】
0006304012.tif 000009
【図９】
0006304012.tif 000010
【図１０】
0006304012.tif 000011
【図１１】
0006304012.tif 000012
【図１２】
0006304012.tif 000013